(57)【要約】【課題】必要十分な脱衣室からの吸気及び排気ダクトからの排気を行い、短時間で確実に浴室温度を一定にすることで、乾燥運転の完了時刻を早期に決定して、使用者へ乾燥運転の完了時刻を知らせる浴室乾燥機を提供する。【解決手段】制御手段８は、衣類重量値と浴室内温度を元に所定の時刻Ｔ３及び乾燥運転終了時刻Ｔ４を決定する運転時間判別手段８ａを備え、乾燥運転開始後、排気ファン５により浴室空間の容積に相当する風量分の換気を完了した所定の時刻Ｔ２後に、浴室温度センサにより浴室内温度を計測し、運転時間判別手段８ａにより所定の時刻Ｔ３及び乾燥運転終了時刻Ｔ４を決定し、所定の時刻Ｔ２から所定の時刻Ｔ３までの間は加熱手段４を使用せずに循環ファン３を用いて送風し、所定の時刻Ｔ３から乾燥運転終了時刻Ｔ４までの間は加熱手段４及び循環ファン３を用いて温風を吹き出す。【選択図】図１
2012065864.tif 000002
【特許請求の範囲】
【請求項１】
浴室内の空気を循環する循環送風手段と、前記循環送風手段により送風された空気を加熱する空気加熱手段と、浴室を換気する換気手段と、浴室内に吊るす衣類重量値を設定する操作表示手段と、運転の制御を行う制御手段と、浴室内温度を計測する温度計測手段とを備え、前記制御手段は、衣類重量値と浴室内温度を元に所定の時刻Ｔ３及び乾燥運転終了時刻Ｔ４を決定する運転時間判別手段を備え、乾燥運転開始後、前記換気手段により浴室空間の容積に相当する風量分の換気を完了した所定の時刻Ｔ２後に、前記温度計測手段により浴室内温度を計測し、前記運転時間判別手段により所定の時刻Ｔ３及び乾燥運転終了時刻Ｔ４を決定し、所定の時刻Ｔ２から所定の時刻Ｔ３までの間は前記空気加熱手段を使用せずに前記循環送風手段を用いて送風し、所定の時刻Ｔ３から乾燥運転終了時刻Ｔ４までの間は前記空気加熱手段及び前記循環送風手段を用いて温風を吹き出すことを特徴とする浴室乾燥機。
【請求項２】
浴室乾燥機が設置された浴室の容積を設定する前記操作表示手段とを備え、前記制御手段は、前記換気手段により乾燥運転開始時刻Ｔ１から前記所定の時刻Ｔ２まで換気を行う際に、前記操作表示手段により設定した浴室の容積に相当する風量分の換気を行うことを特徴とする請求項１に記載の浴室乾燥機。
【請求項３】
前記制御手段は、乾燥運転開始時に前記操作表示手段からの衣類重量値を設定可能とすることを特徴とする請求項１〜２に記載の浴室乾燥機。
【請求項４】
浴室乾燥機が乾燥運転終了するまでの時間を表示する前記操作表示手段とを備え、前記制御手段は、乾燥運転開始時刻Ｔ１から前記所定の時刻Ｔ２までは前記操作表示手段に乾燥運転終了までの目安の時間を表示し、前記所定の時刻Ｔ２から乾燥運転終了時刻Ｔ４までは前記操作表示手段に乾燥運転終了までの確定の時間を表示することを特徴とする請求項１〜３に記載の浴室乾燥機。
【請求項５】
前記制御手段は、前記操作表示手段により前記衣類重量値を設定する際に、前記衣類重量値の表示に代えて、乾燥運転終了までの目安の時間を表示することを特徴とする請求項１〜４に記載の浴室乾燥機。
【請求項６】
前記制御手段は、前記操作表示手段により衣類重量値又は乾燥運転終了までの目安の時間を設定する際に、衣類重量値又は乾燥運転終了までの目安の時間の表示を点滅することを特徴とする請求項１〜５に記載の浴室乾燥機。
【請求項７】
前記循環送風手段により前記空気加熱手段を通過した後吹出し口から浴室に温風を吹き出す通風路と、前記通風路と浴室空間の間に設置して循環する空気が吹き出す方向を変更する風向変更手段とを備え、前記制御手段は、前記風向変更手段により循環する空気が吹き出す方向を変更しながら乾燥運転することを特徴とする請求項１〜６に記載の浴室乾燥機。
【請求項８】
前記制御手段は、乾燥運転開始から所定の時刻Ｔ２までの間は、前記風向変更手段により吹き出す空気の方向を浴室全体に向けて乾燥運転し、所定の時刻Ｔ２から乾燥運転終了時刻Ｔ４までの間は、前記風向変更手段により吹き出す空気の方向を衣類に向けて乾燥運転することを特徴とする請求項１〜７に記載の浴室乾燥機。
【発明の詳細な説明】
【技術分野】
【０００１】
本発明は、洗濯して濡れた衣類を、浴室に吊るして乾燥させる浴室乾燥機に関する。
【背景技術】
【０００２】
従来の浴室乾燥機の事例は、例えば特許文献１に記載されている。
【０００３】
これによれば乾燥開始時から所定の時間経過後に浴室温度を測定し、この浴室温度に応じて乾燥終了時刻までの間は、熱交換器または電気ヒータを運転して温風を送風することにより、このような乾燥方式は、乾燥運転の一部の時間でのみ熱交換器または電気ヒータを使用する（例えば、特許文献１）。
【０００４】
このような浴室乾燥機では、換気運転と循環運転を行う送風運転を実施し、浴室温度がほぼ一定となった所定の時間経過後に温度を測定している。これは、浴室外の外気温度を計測するためであり、本来であれば、浴室天井裏又は脱衣室で温度を計測するべきである。しかし、浴室天井裏又は脱衣室で計測するためには、本体筐体の天井裏側に温度計測用のサーミスタを取り付けたり、脱衣室にサーミスタを配線工事する必要がある。
【０００５】
通常、浴室乾燥機は、浴室へ吹き出す温風の温度を計測し、熱交換器又は電気ヒータの運転を調整している。このように、浴室乾燥機には既に浴室温度を計測するためのサーミスタがあることが一般的であるため、浴室外の外気温度を計測するために、この浴室温度計測用のサーミスタを利用する。
【０００６】
換気運転と循環運転を行う送風運転、つまり浴室内空気の循環攪拌を行うと共に、脱衣室から浴室ドアのスリットを通して脱衣室空気の吸気を行って、浴室内を通った空気を排気ダクトから浴室外部へ排気している。この送風運転により、浴室外、主には脱衣室からの空気を吸い込み、浴室内の空気を排気することで、浴室内を換気し、浴室の温度を脱衣室と等しく安定させることで、浴室温度計測用のサーミスタにより浴室外の温度を計測している。浴室外の温度により、温度にあった乾燥パターンにより衣類乾燥運転を行う。
【先行技術文献】
【特許文献】
【０００７】
【特許文献１】特開２００２−１６２１６１号公報
【発明の概要】
【発明が解決しようとする課題】
【０００８】
このような従来の浴室乾燥機では、浴室の大きさ、吸気用の浴室ドアのスリットの大きさ、排気ダクトの抵抗等が異なったとしても、常に一定の時間後に測定を行っている。そのため、例えば吸排気の抵抗が大きい場合は、浴室ドアのスリットからの十分な吸気と、排気ダクトからの十分な排気が行えず、必ずしも浴室温度が一定となっていない可能性がある。同様に、外気温度と浴室温度の差が大きい場合も、一定となっていない可能性がある。
【０００９】
また、使用者が乾燥運転完了までの時間を知りたい場合であっても、前記特許文献１の例によれば開始から７時間後という長時間の送風運転を行った後に最終的な完了時刻を決定するため、使用者は運転完了の直前まで、乾燥運転がいつ終わるのかが不明であった。
【００１０】
そこで、本発明では、必要十分な脱衣室からの吸気及び排気ダクトからの排気を行い、短時間で確実に浴室温度を一定にすることで、乾燥運転の完了時刻を早期に決定して、使用者へ乾燥運転の完了時刻を知らせることができる浴室乾燥機を提供することを目的とする。
【課題を解決するための手段】
【００１１】
そして、この目的を達成するために、浴室内の空気を循環する循環送風手段と、前記循環送風手段により送風された空気を加熱する空気加熱手段と、浴室を換気する換気手段と、浴室内に吊るす衣類重量値を設定する操作表示手段と、運転の制御を行う制御手段と、浴室内温度を計測する温度計測手段とを備え、前記制御手段は、衣類重量値と浴室内温度を元に所定の時刻Ｔ３及び乾燥運転終了時刻Ｔ４を決定する運転時間判別手段を備え、乾燥運転開始後、前記換気手段により浴室空間の容積に相当する風量分の換気を完了した所定の時刻Ｔ２後に、前記温度計測手段により浴室内温度を計測し、前記運転時間判別手段により所定の時刻Ｔ３及び乾燥運転終了時刻Ｔ４を決定し、所定の時刻Ｔ２から所定の時刻Ｔ３までの間は前記空気加熱手段を使用せずに前記循環送風手段を用いて送風し、所定の時刻Ｔ３から乾燥運転終了時刻Ｔ４までの間は前記空気加熱手段及び前記循環送風手段を用いて温風を吹き出すことを特徴とする。これにより所期の目的を達成する。
【発明の効果】
【００１２】
本発明によれば、浴室内の空気を循環する循環送風手段と、前記循環送風手段により送風された空気を加熱する空気加熱手段と、浴室を換気する換気手段と、浴室内に吊るす衣類重量値を設定する操作表示手段と、運転の制御を行う制御手段と、浴室内温度を計測する温度計測手段とを備え、前記制御手段は、衣類重量値と浴室内温度を元に所定の時刻Ｔ３及び乾燥運転終了時刻Ｔ４を決定する運転時間判別手段を備え、乾燥運転開始後、前記換気手段により浴室空間の容積に相当する風量分の換気を完了した所定の時刻Ｔ２後に、前記温度計測手段により浴室内温度を計測し、前記運転時間判別手段により所定の時刻Ｔ３及び乾燥運転終了時刻Ｔ４を決定し、所定の時刻Ｔ２から所定の時刻Ｔ３までの間は前記空気加熱手段を使用せずに前記循環送風手段を用いて送風し、所定の時刻Ｔ３から乾燥運転終了時刻Ｔ４までの間は前記空気加熱手段及び前記循環送風手段を用いて温風を吹き出すことを特徴とするものであり、制御部は、乾燥運転開始後、前記換気手段により浴室空間の容積に相当する風量分の換気を完了した所定の時刻Ｔ２後に、前記温度計測手段により浴室内温度を計測し、前記運転時間判別手段により所定の時刻Ｔ３及び乾燥運転終了時刻Ｔ４を決定することができる。そして、使用者に早期に乾燥運転終了時刻を知らせることができる。
【図面の簡単な説明】
【００１３】
【図１】本発明の実施の形態１の浴室乾燥機の概観図
【図２】同制御手段の乾燥運転を示す図
【図３】同浴室乾燥機が取り付けられた浴室の概観図
【図４】同浴室乾燥機の乾燥運転実験の概観図
【図５】同浴室乾燥機の送風運転実験の試験結果を示す図
【図６】同浴室乾燥機の温風運転実験の試験結果を示す図
【図７】同浴室乾燥機の乾燥運転実験から所定の時刻Ｔ３及び乾燥運転終了時刻Ｔ４の決定方法を示す図
【図８】本発明の実施の形態２の浴室乾燥機の乾燥運転の動作を示す図
【図９】本発明の実施の形態３における浴室乾燥機の構成を示す図
【図１０】同浴室乾燥機のルーバ角度を示す図
【発明を実施するための形態】
【００１４】
本発明の請求項１記載の浴室乾燥機は、浴室内の空気を循環する循環送風手段と、前記循環送風手段により送風された空気を加熱する空気加熱手段と、浴室を換気する換気手段と、浴室内に吊るす衣類重量値を設定する操作表示手段と、運転の制御を行う制御手段と、浴室内温度を計測する温度計測手段とを備え、前記制御手段は、衣類重量値と浴室内温度を元に所定の時刻Ｔ３及び乾燥運転終了時刻Ｔ４を決定する運転時間判別手段を備え、乾燥運転開始後、前記換気手段により浴室空間の容積に相当する風量分の換気を完了した所定の時刻Ｔ２後に、前記温度計測手段により浴室内温度を計測し、前記運転時間判別手段により所定の時刻Ｔ３及び乾燥運転終了時刻Ｔ４を決定し、所定の時刻Ｔ２から所定の時刻Ｔ３までの間は前記空気加熱手段を使用せずに前記循環送風手段を用いて送風し、所定の時刻Ｔ３から乾燥運転終了時刻Ｔ４までの間は前記空気加熱手段及び前記循環送風手段を用いて温風を吹き出すことを特徴とするものである。
【００１５】
これにより、必要十分な脱衣室からの吸気及び排気ダクトからの排気を行うことができる。そして、短時間で確実に浴室温度を一定にすることで、乾燥運転の完了時刻を早期に決定することができる。
【００１６】
また本発明の請求項２記載の浴室乾燥機は、浴室乾燥機が設置された浴室の容積を設定する前記操作表示手段とを備え、前記制御手段は、前記換気手段により乾燥運転開始時刻Ｔ１から前記所定の時刻Ｔ２まで換気を行う際に、前記操作表示手段により設定した浴室の容積に相当する風量分の換気を行うことを特徴とする。
【００１７】
これにより、浴室空間の容積に合わせた風量の換気を行うことができる。
【００１８】
また本発明の請求項３記載の浴室乾燥機は、前記制御手段は、乾燥運転開始時に前記操作表示手段からの衣類重量値を設定可能とすることを特徴とする。
【００１９】
これにより、乾燥運転中に衣類重量の設定を変更されてしまうことで、運転完了時に乾燥されていない状態で衣類が放置されることを防ぐことができる。
【００２０】
また本発明の請求項４記載の浴室乾燥機は、浴室乾燥機が乾燥運転終了するまでの時間を表示する前記操作表示手段とを備え、前記制御手段は、乾燥運転開始時刻Ｔ１から前記所定の時刻Ｔ２までは前記操作表示手段に乾燥運転終了までの目安の時間を表示し、前記所定の時刻Ｔ２から乾燥運転終了時刻Ｔ４までは前記操作表示手段に乾燥運転終了までの確定の時間を表示することを特徴とする。
【００２１】
これにより、乾燥運転完了までの時間であっても使用者におおよその乾燥運転完了時刻を示すことができる。
【００２２】
また本発明の請求項５記載の浴室乾燥機は、前記制御手段は、前記操作表示手段により前記衣類重量値を設定する際に、前記衣類重量値の表示に代えて、乾燥運転終了までの目安の時間を表示することを特徴とする。
【００２３】
これにより、使用者が他の運転モードと同様の表示によって衣類重量値を設定することができる。
【００２４】
また本発明の請求項６記載の浴室乾燥機は、前記制御手段は、前記操作表示手段により衣類重量値又は乾燥運転終了までの目安の時間を設定する際に、衣類重量値又は乾燥運転終了までの目安の時間の表示を点滅することを特徴とする。
【００２５】
これにより、点滅中は設定可能であることを使用者に明示すると共に、点灯に変わった後は設定不可能であることを示すことができる。
【００２６】
また本発明の請求項７記載の浴室乾燥機は、前記循環送風手段により前記空気加熱手段を通過した後吹出し口から浴室に温風を吹き出す通風路と、前記通風路と浴室空間の間に設置して循環する空気が吹き出す方向を変更する風向変更手段とを備え、前記制御手段は、前記風向変更手段により循環する空気が吹き出す方向を変更しながら乾燥運転することを特徴とする。
【００２７】
これにより、衣類が吊るされた浴室空間全体を満遍なく乾燥することができる。
【００２８】
また本発明の請求項８記載の浴室乾燥機は、前記制御手段は、乾燥運転開始から所定の時刻Ｔ２までの間は、前記風向変更手段により吹き出す空気の方向を浴室全体に向けて乾燥運転し、所定の時刻Ｔ２から乾燥運転終了時刻Ｔ４までの間は、前記風向変更手段により吹き出す空気の方向を衣類に向けて乾燥運転することを特徴とする。
【００２９】
これにより、前記所定の時刻Ｔ２までは浴室外から空気を積極的に取り入れて換気し、また、前記所定の時刻Ｔ２以降は衣類を素早く乾燥させることができる。
【００３０】
以下、本発明の実施の形態について図面を参照しながら説明する。
【００３１】
（実施の形態１）
本実施の形態の基本となる機構部分の構成について説明する。
【００３２】
図１は本発明の実施の形態における浴室乾燥機の構成を示す図である。
【００３３】
まず、本実施の形態に関わる構成について説明する。浴室などの天井１に取り付けられた本体２の内部に循環送風手段として循環ファン３が設けられ、この循環ファン３が駆動されたときに下部の浴室内の空気を循環するための循環風路３ａ内に、前記循環送風手段により送風された空気を加熱する空気加熱手段として熱交換器又は電気ヒータなどの加熱手段４が設けられている。
【００３４】
本体２の内部には、浴室内の換気を行うために換気手段として排気ファン５が設けられていて、この排気ファン５が駆動することで排気風路５ａが構成され、浴室内の空気は屋外に排出されて換気が行われる。排気ファン５は、常に単位時間当たり一定風量の排気を行うものである。排気ファン５の排気風量は、施工時の排気ダクトの曲げ角度、曲げ回数、距離、材質、防水カバーの有無や形状、また、浴室内へ吸気を行うための浴室ドアのスリット形状や面積、更に経年使用が及ぼす埃の蓄積の影響による給排気抵抗の違いによらず、一定である。
【００３５】
浴室と脱衣室を隔てる浴室ドア付近の脱衣室側壁面に、使用者が浴室内に吊るす衣類の重量値、及び浴室の容積を入力する操作表示手段としてリモコン６が設けられる。使用者は、浴室に吊るした乾燥させる衣類の重量に応じて、リモコン６より衣類重量値を設定する。浴室の容積は、設置されている浴室が変更されない限り、初回の一度のみ入力する。
【００３６】
制御手段８は、本体２内の冷所に設置され、前述の循環ファン３や加熱手段４、排気ファン５などの駆動を制御する。
【００３７】
また循環風路３ａの入り口近傍に浴室内温度を計測する温度計測手段として浴室温センサ７を設けている。この浴室温センサ７は、例えばサーミスタを用いたものを使用する。
【００３８】
図２に本発明の実施の形態における浴室乾燥機の乾燥運転の動作を示す。
【００３９】
本発明における乾燥運転において、運転中は３段階の状態が存在する。換気運転、送風運転、温風運転である。換気運転は、制御手段８により循環ファン３、排気ファン５を用いた運転である。送風運転は、制御手段８により循環ファン３、排気ファン５を用いた運転である。温風運転は、制御手段８により循環ファン３、加熱手段４、排気ファン５を用いた運転である。乾燥運転開始時刻Ｔ１は、浴室乾燥機が換気運転を開始する時刻を、所定の時刻Ｔ２は、換気運転を終了して送風運転を開始する時刻を、所定の時刻Ｔ３は、送風運転を終了して温風運転を開始する時刻を、乾燥運転終了時刻Ｔ４は、温風運転を終了して乾燥運転を終了する時刻を示す。従って、乾燥運転開始時刻Ｔ１から所定の時刻Ｔ２、所定の時刻Ｔ２から所定の時刻Ｔ３、所定の時刻Ｔ３から乾燥運転終了時刻Ｔ４、をそれぞれ、換気運転、送風運転、温風運転とする。
【００４０】
図３に本発明の実施の形態における浴室乾燥機の乾燥方法を示す。
【００４１】
浴室乾燥機が乾燥運転を開始する前に、入浴を行っていた場合、浴室壁面などについた水滴が乾燥運転中に浴室内へ蒸発していくことで乾燥中の衣類９に付着したり、また、衣類９を乾燥するために加熱手段４により投入した熱エネルギーが壁面の水滴に奪われることを防ぐため、使用者は事前に水滴を雑巾などで取り除いておく。また、浴槽にお湯が張ってある場合は、これも同様に浴室空間へ蒸発することで乾燥の妨げになるため、蓋をするか、お湯を抜き、浴室内の湿度が上昇しないようにしておく。これらの後、使用者は浴室天井部又は壁面に設置した物干し竿１０に衣類９を吊るす。このとき、天井面に取り付けられた浴室乾燥機からの循環空気が均等にあたるよう、適当な間隔を空けて配置することが望ましい。
【００４２】
使用者は衣類９を浴室内へ吊るした後、リモコン６より、浴室内へ吊るした衣類９の重量を入力する。例えば、衣類重量値が２ｋｇである場合、リモコン６には「２」と設定する。本実施の形態における衣類重量値とは、温度２０℃、相対湿度６５％の空間での重量が一定になった場合に測定したものとする。また、この２ｋｇの衣類における乾燥率とは、２ｋｇを乾燥前の重量で除した百分率で表され、例えば２ｋｇの衣類において、洗濯後の重量が４ｋｇであった場合は、乾燥率５０％となる。
【００４３】
まず、換気運転について説明する。使用者が衣類９を吊るして乾燥運転を開始すると、浴室乾燥機は換気運転を開始する。この運転を開始した時刻を乾燥運転開始時刻Ｔ１とする。換気運転は、浴室内の空気を脱衣室などの浴室外の空気に入れ替えることを目的とする。
【００４４】
循環ファン３は、循環風路３ａの入り口から浴室内の空気を吸い込み、循環風路３ａの出口から浴室内へ向けて循環空気を吹き出すが、このとき、換気運転中は衣類９を乾燥することを目的として循環空気を吹き出すのではなく、排気風路の吸い込み口近傍のみから換気されることのないように、浴室内を万遍なく均等に換気するために、浴室内を攪拌することを目的とする。
【００４５】
排気ファン５は、排気風路５ａの浴室側である吸い込み口から浴室内の空気を吸い込み、排気風路５ａを介して、浴室内の空気を浴室外へ排出する。排気ファン５により排出された分の空気は、浴室ドアのスリットを通して脱衣室から浴室内へ流れ込む。このとき、浴室内は循環ファン３により十分に攪拌されているため、浴室ドアのスリットから排気風路５ａの吸い込み口へと直接流れ込むことはなく、浴室全体から浴室空気を均等に排気風路５ａへと排出することが可能である。
【００４６】
また、排気ファン５は、単位時間当たり一定風量の排気を行う。本実施の形態で説明する浴室が縦１．６ｍ、横１．６ｍ、高さ２．２ｍであるとすると、浴室内には５．６立方ｍの空気が存在する。排気ファン５が１時間当たり３３．６立方ｍの風量で浴室内の空気を排気する場合、１０分後には５．６立方ｍの浴室内空気を浴室外に排出することが可能となる。この浴室空間の容積に相当する風量分の換気を完了した時刻を所定の時刻Ｔ２とする。
【００４７】
制御手段８は所定の時刻Ｔ２経過後に、浴室温センサ７を使用して浴室内の温度を計測する。所定の時刻Ｔ２は、排気ファン５により浴室空間の容積に相当する風量分の換気が完了しており、また、浴室ドアのスリットより脱衣室の空気が流入していると考えられるため、浴室温センサ７により計測された浴室温度は、浴室内で計測されたものの、浴室外の気温と等しいことが推定できる。この温度を外気温とする。
【００４８】
制御手段８は運転時間判別手段８ａを備える。運転時間判別手段８ａは、浴室温センサ７により計測された浴室温度から推定した外気温と、リモコン６により設定された衣類重量値から、所定の時刻Ｔ３及び乾燥運転終了時刻Ｔ４を求めるパラメータテーブルを持っている。所定の時刻Ｔ２に運転時間判別手段８ａはこれらの時刻を決定する。
【００４９】
パラメータテーブルは、外気温の閾値を、１５℃未満、１５℃以上２５℃未満、２５℃以上の３段階持っている。また、衣類重量値を、１ｋｇ、２ｋｇ、４ｋｇの３段階持っているため、合計で９種類の所定の時刻Ｔ３及び乾燥運転終了時刻Ｔ４を持っている。所定の時刻Ｔ２後に運転時間判別手段８ａはパラメータテーブルより所定の時刻Ｔ３及び乾燥運転終了時刻Ｔ４を決定する。
【００５０】
パラメータテーブルの９種類の所定の時刻Ｔ３及び乾燥運転終了時刻Ｔ４について、事前に試験により時間を決定する方法について説明する。図４に試験方法の構成について示す。浴室店上部又は壁面に設置した物干し竿１０に衣類重量計１１を介して、衣類重量値４ｋｇ、乾燥率６０％の衣類９を吊るす。このとき外気温は、１５℃未満、１５℃以上２５℃未満、２５℃以上の３段階の中で、最も乾燥し難い温度である１５℃未満である１０℃とする。
【００５１】
試験は送風運転試験及び温風運転試験の２種類を実施する。
【００５２】
送風運転試験は、換気運転に続けて送風運転を行い、衣類重量計１１によって計測された重量を連続的に計測し、衣類重量が飽和するまで試験を行う。温風運転試験は、温風運転を行い、衣類重量計１１によって計測された重量を連続的に計測し、衣類重量が飽和するまで試験を行う。
【００５３】
送風運転試験と温風運転試験の試験結果を図５、図６に示す。図５より、４ｋｇの衣類９は換気運転と送風運転で乾燥した場合、８時間経過後も乾燥率１００％に到達しなかった。また図６より、同様に温風運転で乾燥した場合、２時間後に乾燥率１００％に到達した。
【００５４】
図５、図６の試験結果より、外気温が１０℃のときの所定の時刻Ｔ３と乾燥運転終了時刻Ｔ４を算出する。本発明の乾燥運転において、４ｋｇの衣類９を完了するための最大の時間を８時間とした。この理由として、最も乾燥し難い外気温１０℃の条件下で４ｋｇの衣類９を乾燥させた場合、夜間の入浴後から翌朝までの時間に相当する時間として、８時間を決定した。図７の乾燥運転終了時刻Ｔ４に、図５の８時間後の位置を、また図６の２時間後の位置を重ね合わせた図を示す。図７において、図５と図６の乾燥率が交差する時間である７．５時間が所定の時刻Ｔ３、換気、送風、温風の各運転を完了する８時間後が乾燥運転終了時刻Ｔ４となる。
【００５５】
つまり、外気温１０℃の環境下で、４ｋｇの衣類９を乾燥するときの所定の時刻Ｔ３は７．５時間であり、この場合に外気温が１５℃以上の時に７．５時間経過時点から温風運転に切り替えると、８時間より早い時間で乾燥率１００％に到達する。すなわち、１５℃以上２５℃未満である２０℃では７．８時間で、また、２５℃以上である３０℃では７．６時間で乾燥率１００％に到達した。従って、所定の時刻Ｔ３は外気温によらず７．５時間後としたときに、乾燥運転終了時刻Ｔ４は、外気温が１５℃未満のとき８時間後、１５℃以上２５℃未満のとき７．８時間後、２５℃以上のとき７．６時間後となる。
【００５６】
このことから使用者は、４ｋｇの衣類を乾燥したいときに衣類重量値を設定することで、乾燥運転開始時刻Ｔ１において、乾燥運転終了までの最長の時間である８時間を目安の時間として知ることができ、そして、所定の時刻Ｔ２以降は、現在の外気温による確定した乾燥完了の時刻として乾燥運転終了時刻Ｔ４を知ることができる。
【００５７】
運転時間判別手段８ａは前記の試験により決定されたパラメータテーブルを持つが、外気温の閾値を３段階、衣類重量値を３段階の計９種類持っているため、同様の試験を１ｋｇ、２ｋｇでも実施してパラメータテーブルを作成する。
【００５８】
次に、送風運転について説明する。浴室乾燥機は、所定の時刻Ｔ２より所定の時刻Ｔ３までの間、送風運転を行う。送風運転は、浴室内に吊るされた衣類９を乾燥するために、加熱手段４を使用せずに衣類９を乾燥することを目的とする。循環ファン３、排気ファン５を用いて、衣類９に循環風路３ａから吹き出す空気を当てると共に、浴室内の衣類９近傍に湿度が停滞することのないように攪拌する。
【００５９】
次に、温風運転について説明する。浴室乾燥機は、所定の時刻Ｔ３より乾燥運転終了時刻Ｔ４までの間、温風運転を行う。温風運転は、浴室内に吊るされた衣類９を乾燥するために、加熱手段４を使用して衣類９を乾燥することを目的とする。送風運転に加えて、循環風路３ａ内で加熱手段４によって循環ファン３により循環された空気を加熱し、循環風路３ａから吹き出した浴室内の衣類９に高温の空気を当てることで、乾燥運転の仕上げとして、衣類９に残ったわずかな水分を蒸発させる。
【００６０】
以上の乾燥運転動作を行うことで本発明の浴室乾燥機は、乾燥運転の完了時刻を早期に決定し、確実に衣類を乾燥することが可能である。
【００６１】
なお、本実施の形態において、リモコン６から衣類重量値を設定しているが、通常、浴室乾燥機は運転時間を入力して、切タイマとして動作することが多い。使用者にとって運転開始時にタイマ時間を設定することが自然であることから、衣類重量値１ｋｇ、２ｋｇ、４ｋｇに対応させた時間として、乾燥運転終了時刻の目安である６時間、７時間、８時間という表示をしてもよい。本実施の形態の浴室乾燥機は、取扱説明書などの商品に付属している資料に、衣類運転終了時刻の目安と対応する衣類重量値を表にして記載しておく。
【００６２】
本実施の形態において、衣類重量値を３段階、外気温を３段階としたが、これらを更に詳細な刻み幅として段階数を増加してもよい。衣類重量値を更に細かくすることで、使用者はより使用状況にあった衣類重量値に対応した使用ができ、また、外気温を更に細かくすることで、より外気温の状況に合った乾燥運転を実施することが可能となる。
【００６３】
（実施の形態２）
図８に本発明の実施の形態における浴室乾燥機の乾燥運転の動作を示す。
【００６４】
なお、理解を容易にするために実施の形態１と同じ構成については、同一の符号を付し、その説明は簡略化する。
【００６５】
まず、図８において、衣類重量設定中と換気運転以降の表示について示す。
【００６６】
本発明における乾燥運転開始が始まる前、リモコン６は衣類重量値を設定する際に、前記実施の形態１で示すように、衣類重量値である１ｋｇ、２ｋｇ、４ｋｇ、又は、衣類重量値に相当する乾燥の目安の時間である６時間、７時間、８時間という表示をしている。衣類重量値の設定開始をＴ０とし、衣類重量値の設定開始Ｔ０から換気運転を開始するＴ１までの時間を衣類重量設定中とする。衣類重量設定中は、例えば１ｋｇの表示と６時間の表示とは全く同じ意味を持っており、使用者の使い勝手に拠って使い分けが可能である。
【００６７】
一方で、乾燥運転が開始されて換気運転が始まると、リモコン６は乾燥運転終了時刻Ｔ４までの目安の時間でカウントダウンを開始する。例えば、６時間からのカウントダウン中は、乾燥運転終了するまでにかかる時間が、現在のところは残り６時間かかる、という意味であり、ここに衣類の重量値である１ｋｇという意味合いは無い。
【００６８】
以上のように、衣類重量値又は乾燥の目安の時間を設定している衣類重量設定中と、換気運転中の目安の時間でカウントダウン時とでは、仮に同じように６時間の表示されていたとしても、数字の意味が全く異なる。従って、衣類重量設定中と換気運転以降とでは、表示を明確に変化させることが必要となる。
【００６９】
本発明の実施の形態において、衣類重量設定中と換気運転以降とでは、衣類重量値又は時間を点滅させることで、前記表示の意味合いを変化させる。
【００７０】
点滅表示中である衣類重量設定中は、動作として乾燥運転のための予備状態であると言え、衣類重量値の設定が完了すれば、即座に次の乾燥運転が開始できる、と言うことを表す。また、点灯表示中である乾燥運転の目安の時間がカウントダウン中は、動作として乾燥運転が開始されている状態であると言え、ここに衣類重量値を示す表示は不要であり、一般的な浴室乾燥機と同様に時間を１分刻みで表示すれば良い。
【００７１】
次に、換気運転と送風運転以降の表示について示す。
【００７２】
換気運転は、前記実施の形態１に示すように、浴室内の空気を脱衣室などの浴室外の空気に入れ替えることを目的とする。従って、換気運転において所定の時刻Ｔ３及び乾燥運転終了時刻Ｔ４は未確定であり、換気運転が完了して、所定の時刻Ｔ２で運転時間判別手段８ａによる所定の時刻Ｔ３及び乾燥運転終了時刻Ｔ４が決定されるまでの間は、乾燥運転終了時刻Ｔ４までの目安の時間が表示されている。
【００７３】
一方で、送風運転及び温風運転は、浴室内に吊るされた衣類９を乾燥することを目的とする。従って、送風運転及び温風運転において所定の時刻Ｔ３及び乾燥運転終了時刻Ｔ４は確定済みであり、乾燥運転終了時刻Ｔ４までの時間が表示されている。
【００７４】
以上のように、換気運転と送風運転以降とでは、同様に乾燥運転終了時刻Ｔ４までの時間が表示されており、違いは未確定の時刻であるか、確定の時刻であるかの違いである。乾燥運転の使用者から見た場合、表示される時刻には２種類の要望があると考えられる。一つは、より早い時間帯に完了時刻を知ること、もう一つは、より正確に完了時刻を知ること、である。本発明の換気運転における表示は前者への、また、送風運転及び温風運転における表示は後者への対応である。
【００７５】
（実施の形態３）
本実施の形態の基本となる機構部分の構成について説明する。
【００７６】
図９は本発明の実施の形態における浴室乾燥機の構成を示す図である。
【００７７】
なお、理解を容易にするために実施の形態１と同じ構成については、同一の符号を付し、その説明は簡略化する。
【００７８】
まず、本実施の形態に関わる構成について説明する。実施の形態１に加え、風向変更手段としてのルーバ１２を備える。ルーバ１２は循環風路３ａの吸い込み口付近にルーバモータ１３を介して設置されており、ルーバ１２の角度が天井面と並行で、循環風路３ａの吸い込み口が塞がれた状態をルーバ角度０度、また、ルーバモータ１３を循環風路３ａの吸い込み口が開口する方向へ回転して、ルーバ１２が垂直になる状態をルーバ角度９０度とする。ルーバ１２が乾燥運転時に使用可能なルーバ角度の範囲はＬ１からＬ６までであり、Ｌ１から順に、３０度、４５度、６０度、７５度、９０度、１０５度の６段階である。ルーバモータ１３の回転角度を変更することで、循環風路３ａから吹き出された空気を浴室の任意の方向へ送り出すことが可能である。ルーバモータ１３は例えばステッピングモータを用いたものを使用する。
【００７９】
実施の形態１及び２でも記載したように、換気運転は浴室内の空気を脱衣室などの浴室外の空気に入れ替えることを目的とし、送風運転及び温風運転は、浴室内に吊るされた衣類９を乾燥することを目的とする。いずれの運転にしても、循環された空気はある固定された角度へ送られることに比べて、常に風向を変化させながら吹き出される方が、浴室内のある一箇所、または吊るされたある衣類の近傍に湿度が飽和した空気が滞留することなく、排気ファン５により排気風路５ａより空気を排出することが可能である。しかし、循環される空気の用途は換気運転までと送風運転以降とで違っているため、ルーバ１２のルーバ角度及び動作範囲については異なる。
【００８０】
図１０は本発明の実施の形態における浴室乾燥機のルーバ角度を示す図である。衣類９が物干し竿１０によりルーバ角度Ｌ３からＬ４の方向の浴室内に吊るされている。循環風路３ａから吹き出された空気がルーバ１２により方向を変化し、物干し竿１０に吊るされた衣類９に当たる構成とする。
【００８１】
換気運転中は、排気風路の吸い込み口近傍のみから換気されることのないように、浴室内を万遍なく均等に換気するために、浴室内を攪拌することを目的とする。従って、Ｌ１からＬ６まで常に角度を変化させながら運転する方が良い。
【００８２】
送風運転中は、浴室内の衣類９近傍に湿度が停滞することのないように攪拌することを目的とする。また、温風運転中は、循環風路３ａから吹き出して浴室内の衣類９に高温の空気を当てることで、乾燥運転の仕上げとして、衣類９に残ったわずかな水分を蒸発させることを目的とする。従って、循環した空気が直接衣類９に当たる角度であるＬ３からＬ４までを常に変化させながら運転する方が良い。
【００８３】
なお、本実施の形態におけるルーバ角度は、リモコン６から範囲を設定できるようにしても良い。
【産業上の利用可能性】
【００８４】
本発明は、浴室内の空気を循環する循環送風手段と、前記循環送風手段により送風された空気を加熱する空気加熱手段と、浴室を換気する換気手段と、浴室内に吊るす衣類重量値を設定する操作表示手段と、運転の制御を行う制御手段と、浴室内温度を計測する温度計測手段とを備え、前記制御手段は、衣類重量値と浴室内温度を元に所定の時刻Ｔ３及び乾燥運転終了時刻Ｔ４を決定する運転時間判別手段を備え、乾燥運転開始後、前記換気手段により浴室空間の容積に相当する風量分の換気を完了した所定の時刻Ｔ２後に、前記温度計測手段により浴室内温度を計測し、前記運転時間判別手段により所定の時刻Ｔ３及び乾燥運転終了時刻Ｔ４を決定し、所定の時刻Ｔ２から所定の時刻Ｔ３までの間は前記空気加熱手段を使用せずに前記循環送風手段を用いて送風し、所定の時刻Ｔ３から乾燥運転終了時刻Ｔ４までの間は前記空気加熱手段及び前記循環送風手段を用いて温風を吹き出すことを特徴とする制御を行うものである。
【００８５】
これにより、制御部は、必要十分な脱衣室からの吸気及び排気ダクトからの排気を行い、短時間で確実に浴室温度を一定にすることで、乾燥運転の完了時刻を早期に決定して、使用者へ乾燥運転の完了時刻を知らせることができる。
【００８６】
また、衣類の乾燥を確実に行うことができ極めて有用である。
【符号の説明】
【００８７】
１    天井
２    本体
３    循環ファン
３ａ  循環風路
４    加熱手段
５    排気ファン
５ａ  排気風路
６    リモコン
７    浴室温センサ
８    制御手段
８ａ  運転時間判別手段
９    衣類
１０  物干し竿
１１  衣類重量計
１２  ルーバ
１３  ルーバモータ
【図１】
2012065864.tif 000003
【図２】
2012065864.tif 000004
【図３】
2012065864.tif 000005
【図４】
2012065864.tif 000006
【図５】
2012065864.tif 000007
【図６】
2012065864.tif 000008
【図７】
2012065864.tif 000009
【図８】
2012065864.tif 000010
【図９】
2012065864.tif 000011
【図１０】
2012065864.tif 000012